(57)【特許請求の範囲】
【請求項１】
映像信号が書き込まれるメモリを有し、該メモリの書き込みまたは読出し制御により上記映像信号に基づく画像の拡大や縮小が行われる映像信号処理回路と、
上記映像信号処理回路からの映像信号に基づく画像が表示される表示手段と、
上記画像を拡大して表示するモード、または拡大、縮小されることなく表示されるモードかどうかを判別する画面モード判別手段と、
該画面モード判別手段により判別された画面モードに応じて上記画像の拡大や縮小を自動的に切り換える設定がされているかどうか判断する制御手段と、
上記映像信号中の文字放送信号を復調した文字情報から映像信号を形成し、上記映像信号処理回路に出力する復調手段と、
を備え，上記制御手段は、上記復調手段からの映像信号に基づく文字を表示している状態と判断すると、上記表示サイズを自動的に切り換える自動切り換え動作を禁止することを特徴とする受像機。
【請求項２】
映像信号が書き込まれるメモリを有し、該メモリの書き込みまたは読出し制御により上記映像信号に基づく画像の拡大や縮小が行われる映像信号処理回路と、
上記映像信号処理回路からの映像信号に基づく画像が表示される表示手段と、
上記画像を拡大して表示するモード、または拡大、縮小されることなく表示されるモードかどうかを判別する画面モード判別手段と、
を備え，上記制御手段は、上記映像信号により表示される画像を消している旨の表示をしている状態と判断すると上記表示サイズを自動的に切り換える自動切り換え動作を禁止することを特徴とする受像機。
【請求項３】
映像信号が書き込まれるメモリを有し、該メモリの書き込みまたは読出し制御により上記映像信号に基づく画像の拡大や縮小が行われる映像信号処理回路と、
上記映像信号処理回路からの映像信号に基づく画像が表示される表示手段と、
上記画像を拡大して表示するモード、または拡大、縮小されることなく表示されるモードかどうかを判別する画面モード判別手段と、
を備え，上記制御手段は、上記映像信号が無信号であると判断すると上記表示サイズを自動的に切り換える自動切り換え動作を禁止することを特徴とする受像機。
【請求項４】
上記画面モード判別手段は、上記映像信号に挿入されたＩＤ信号、あるいは上記映像信号に含まれ、表示画面端部に表示される黒帯部分に当る信号を検出することにより上記画面モードを判別することを特徴とする請求項１に記載の受像機。
【請求項５】
上記画面モード判別手段は、上記映像信号に含まれ、表示画面端部に表示される黒帯部分に当る信号を検出することにより上記画面モードを判別することを特徴とする請求項２または３に記載の受像機。
【発明の詳細な説明】
【０００１】
【発明の属する技術分野】
本発明は、例えば１６：９のワイドアスペクトの表示画面を有する受像機に関するものである。
【０００２】
【従来の技術】
例えば１６：９のワイドアスペクトの表示画面を有する受像機においては、例えば４：３のスタンダードアスペクトの映像信号を表示する場合には、従来は例えば表示画面の左右端に無表示の黒帯部分を形成していた。しかしながらこのような黒帯部分の表示は鑑賞に目障りであると共に、映像部分との境界で表示画面の蛍光体の劣化を早めるなど、種々の問題を生じるものである。
【０００３】
これに対して本願出願人は、先に１６：９のワイドアスペクトの表示画面に４：３のスタンダードアスペクトの映像信号を表示する場合に使用して好適な受像機を提案した（特願平５−１５５６５９号等参照）。この先願の発明によれば、１６：９のワイドアスペクトの表示画面に黒帯部分を生じることなく、４：３のスタンダードアスペクトの映像信号を表示することができるものである。
【０００４】
一方、上述の４：３のスタンダードアスペクトの映像信号において、さらに上下に黒帯部分を設けてワイド画面の画像を形成することが行われている。そこでこのような映像信号は、拡大によってワイド画面を形成することができる。あるいは画像の左右を圧縮して映像信号を形成し、この画像を左右に伸張することによってワイド画面の画像を形成することが行われている。
【０００５】
そこでこれらの画像を上述の１６：９のワイドアスペクトの表示画面に表示する場合には、上述の上下に設けられた黒帯部分を判別したり、あるいは映像信号に挿入されたＩＤ信号を検出して、映像信号の拡大や任意の伸張を自動的に行う技術が開発されている。これによれば、本来の映像信号が表示されている場合には、常に最適の画面モードが自動的に選択されて表示が行われるものである。
【０００６】
すなわち、例えば図３のＡに示すような元の４：３のスタンダードアスペクトの映像信号に対して、例えば図３のＢに示すように表示画面の左右が１６：９のワイドアスペクトの表示画面の左右に一致するように画面の全体を拡大するズームモードや、図３のＣに示すように画面の左右方向のみを伸張するフルモード等の表示を行うことができる。
【０００７】
また図３のＤに示すように全体を拡大した後上下端を圧縮するワイドズームモードや、図３のＥに示すように下側のみ圧縮する字幕入りモード、さらに図３のＦに示すように４：３のまま表示するノーマルモード等の画面モードを選択することができる。
【０００８】
そこでさらにこれらの画面モードの判別は、例えば図４のフローチャートに示すように行われる。すなわち図４において、処理が開始されるとステップ〔１１〕で映像信号に挿入されたＩＤ信号の情報が取り込まれ、ステップ〔１２〕で上下に設けられた黒帯部分の判別情報が取り込まれる。さらにステップ〔１３〕で画面モード選択の自動切り換えが設定されているか否かが判断される。
【０００９】
そしてステップ〔１３〕で自動切り換えが設定されているとき（Ｙ）は、ステップ〔１４〕で、上述の取り込まれた情報に基づいて表示画面に任意の歪みを与えるデータが形成され、ステップ〔１５〕で新しい画面モードの表示が行われて処理は終了される。またステップ〔１３〕で自動切り換えが設定されていないとき（Ｎ）は、そのまま処理は終了される。
【００１０】
このようにして上述の上下に設けられた黒帯部分を判別したり、あるいは映像信号に挿入されたＩＤ信号を検出して、これらの画面モードの選択を自動的に行うことができるものである。なおこのような画面の拡大や伸張は、例えば受像管の偏向系を非線形に制御したり、映像信号系に設けられる画像処理用のメモリの書き込み読み出しアドレスを制御することによって行うことができる。
【００１１】
【発明が解決しようとする課題】
ところがこのような装置において、例えば映像信号中の文字放送信号を復調して表示を行っている場合に、元の映像信号の画面のサイズが変化すると、その変化が判別されて映像信号の拡大や伸張が自動的に行われてしまう。そしてこのような拡大や伸張が、上述の受像管の偏向系の制御等で行われている場合には、これによって表示されている文字の大きさが変化され、目障りに感じられる。
【００１２】
また、映像の表示を消去して音声のみの鑑賞を行っている場合においても、元の映像信号の画面のサイズが変化すると、例えば映像の表示が完全には消去されていない場合に残留している表示の変動が目障りになる。さらに画面上に表示を消去している旨の表示をしている場合にその表示の大きさが変化されたり、画面のサイズが変化するごとにそれを判別した旨の表示が行われて目障りになる。
【００１３】
さらに映像信号が無信号の場合においても、本来は存在しない黒帯部分やＩＤ信号がノイズによって誤検出されて、画面のサイズが頻繁に変化されたり、判別された旨の表示が繰り返し行われて、画面の表示が極めて目障りなものになってしまう恐れがあった。
【００１４】
一方、ＨＤＴＶやいわゆるＭＵＳＥ方式の映像信号においては、元々１６：９のワイドアスペクトの表示になっている。従ってこのような信号に対しては、上述の画面サイズの判別や、映像信号の拡大、伸張等の処理は全く無用である。同様に、パーソナルコンピュータ等からの映像信号においても、これらの処理は無用である。
【００１５】
この出願はこのような点に鑑みて成されたものであって、解決しようとする問題点は、従来の映像信号の画面のサイズを判別して表示サイズを自動的に切り換える画面モード自動切り換え手段を有する受像機においては、無用なときに画面モードの切り換えが行われて画面の表示が極めて目障りなものになってしまう場合があるというものである。
【００１６】
【課題を解決するための手段】
このため本発明においては、所定の条件の下では画面モード切り換え手段での自動切り換え動作を禁止するようにしたものであって、これによれば、無用な画面モードの切り換えを防止して、画面の表示を常に良好に行うことができる。
【００１７】
【発明の実施の形態】
すなわち本発明においては、入力された映像信号中の画像の表示される画面のサイズを判別してこの判別された画面のサイズに応じて映像信号の表示サイズを自動的に切り換える画面モード切り換え手段を有する受像機において、所定の条件の下では画面モード切り換え手段での自動切り換え動作を禁止してなるものである。
【００１８】
以下、図面を参照して本発明を説明するに、図１は本発明を適用した受像機の一例の構成を示すブロック図である。この図１において、地上波アンテナ１からの信号がＵ／Ｖチューナ２に供給される。また選局用のマイクロコンピュータ（μ−ＣＯＭ）３からの信号がＵ／Ｖチューナ２に供給されて、所望のＵＨＦまたはＶＨＦの放送信号の受信が行われる。
【００１９】
さらに衛星アンテナ４からの信号がＣＳ／ＢＳチューナ５に供給される。また選局用のマイクロコンピュータ（μ−ＣＯＭ）６からの信号がＣＳ／ＢＳチューナ２に供給されて、所望の放送衛星（ＢＳ）または通信衛星（ＣＳ）からの放送信号の受信が行われる。そして、これらのチューナ２、５で受信された映像信号及び音声信号と、ビデオ入力端子７に供給される映像信号及び音声信号が、それぞれスイッチング回路８に供給されて所望の信号の選択が行われる。
【００２０】
また、スイッチング回路８で選択された映像信号は、Ｙ／Ｃ分離フィルタ９に供給されて輝度信号（Ｙ）とクロマ信号（Ｃ）に分離され、再びスイッチング回路８に供給される。なおビデオ入力端子７に供給される映像信号がＹ／Ｃ分離信号の場合には、このＹ／Ｃ分離フィルタ９の後段で信号の選択が行われる。そしてこのスイッチング回路８で選択されたＹ／Ｃ分離信号が映像処理回路１０に供給される。
【００２１】
また上述のスイッチング回路８で選択された輝度信号（Ｙ）が文字放送のデコーダ１１に供給され、復調された文字情報が表示ＩＣ１２に供給される。そしてこの表示ＩＣ１２で形成された例えばＲＧＢ信号が映像処理回路１０に供給される。またＨＤＴＶやいわゆるＭＵＳＥ方式の映像信号等の１６：９のワイドアスペクトの映像信号の入力端子１３、及びパーソナルコンピュータ等からのＲＧＢ信号の入力端子１４からの信号が映像処理回路１０に供給される。
【００２２】
そしてこの映像処理回路１０からの信号が、映像出力回路１５を通じて受像管（ＣＲＴ）１６に供給される。また、映像出力回路１５からの同期信号が偏向回路１７を通じて受像管１６の偏向系１８に供給される。これによって、チューナ２、５、あるいは各端子７、１３、１４等に供給された映像信号や、文字放送のデコーダ１１で復調された文字情報が受像管１６で表示される。
【００２３】
さらに上述のスイッチング回路８で選択された音声信号が、音声処理回路１９に供給される。そしてこの音声処理回路１９で音量の調整等のされた信号が、音声出力回路２０を通じてスピーカ２１に供給される。これによって、チューナ２、５、あるいは各端子７、１３、１４等に供給された音声信号や、文字放送のデコーダ１１で復調された音声情報がスピーカ２１から放音される。
【００２４】
そしてこの装置において、主制御用のマイクロコンピュータ（μ−ＣＯＭ）２２が設けられ、このマイクロコンピュータ２２からの制御信号がバスライン２３を通じて、選局用のマイクロコンピュータ３、６を始めとする装置の各部に供給される。また、このマイクロコンピュータ２２には、任意のキーボード２４及び遠隔操作の受信器２５からの操作信号が供給される。
【００２５】
さらに、スイッチング回路８からの映像信号とＹ／Ｃ分離信号が画面モード判別回路２６に供給される。この画面モード判別回路２６では、上述の上下に設けられた黒帯部分や映像信号に挿入されたＩＤ信号を検出して、選択すべき画面モードが判別される。そしてこの判別情報が、バスライン２３を通じて主制御用のマイクロコンピュータ２２に供給される。
【００２６】
そしてこの主制御用のマイクロコンピュータ２２からの制御信号が、バスライン２３を通じて映像処理回路１０や偏向回路１７に供給される。これによって、偏向系１８の非線形の制御や、映像処理回路１０に設けられる画像処理用のメモリの書き込み読み出しアドレスの制御が行われ、画面の拡大や伸張による画面モードの切り換えが行われる。
【００２７】
さらに、主制御用のマイクロコンピュータ２２からの制御に伴う表示信号が、表示用のマイクロコンピュータ（μ−ＣＯＭ）２７を通じて表示ＩＣ１２に供給される。これによって例えば切り換えられた画面モードを示す表示等の、マイクロコンピュータ２２で行われている制御の内容を示す情報の表示が、受像管１６で行われる。なおメモリ２８には、前回受信されていた最終チャンネルやその画面モードなどの各種の制御情報が記憶される。
【００２８】
そしてさらにこの装置において、上述の画面モードの判別が、図２のフローチャートに示すように行われる。すなわちこの図２において、処理が開始されるとステップ〔１〕で入力が無信号か否か判断される。さらに無信号でないとき（Ｎ）はステップ〔２〕で、文字放送信号の表示、映像の表示を消去して音声のみの鑑賞（消画モード）、あるいはＨＤＴＶやＭＵＳＥ方式の映像信号等の１６：９のワイドアスペクトの表示のいずれかの場合か否かの判断が行われる。
【００２９】
そしてこれらの表示等でないとき（Ｎ）は、さらに上述の図４に示したフローチャートと同様の処理が行われる。すなわちステップ〔１１〕で映像信号に挿入されたＩＤ信号の情報が取り込まれ、ステップ〔１２〕で上下に設けられた黒帯部分の判別情報が取り込まれる。さらにステップ〔１３〕で画面モード選択の自動切り換えが設定されているか否かが判断される。
【００３０】
そしてステップ〔１３〕で自動切り換えが設定されているとき（Ｙ）は、ステップ〔１４〕で、上述の取り込まれた情報に基づいて表示画面に任意の歪みを与えるデータが形成され、このデータが上述の映像処理回路１０や偏向回路１７に供給される。さらにステップ〔１５〕で新しい画面モードの表示が行われて処理は終了される。またステップ〔１３〕で自動切り換えが設定されていないとき（Ｎ）は、そのまま処理は終了される。
【００３１】
これに対して上述のステップ〔１〕〔２〕で、いずれかの判断がそうであるとき（Ｙ）は、上述のステップ〔１１〕〜〔１５〕の処理が禁止されて、そのまま処理が終了される。
【００３２】
従ってこの装置において、入力された映像信号中の画像の表示される画面のサイズを判別してこの判別された画面のサイズに応じて映像信号の表示サイズを自動的に切り換える画面モード切り換え手段を有する場合にも、所定の条件の下では画面モード切り換え手段での自動切り換え動作を禁止することができる。
【００３３】
これによって、従来は無用なときに画面モードの切り換えが行われて画面の表示が極めて目障りなものになってしまう場合があったものを、本発明によれば無用な画面モードの切り換えを防止して、画面の表示を常に良好に行うことができる。
【００３４】
すなわち上述の装置においては、入力が無信号の場合と、文字放送信号の表示、映像の表示を消去して音声のみの鑑賞（消画モード）、あるいはＨＤＴＶやＭＵＳＥ方式の映像信号等の１６：９のワイドアスペクトの表示のいずれかの場合であるときは、画面モード切り換え手段での自動切り換え動作が禁止される。
【００３５】
従ってこれらの場合に、表示されている文字の大きさが変化されたり、画面のサイズが頻繁に変化されたり、判別された旨の表示が繰り返し行われて、画面の表示が極めて目障りなものになってしまう恐れを解消することができる。
【００３６】
こうして上述の受像機によれば、入力された映像信号中の画像の表示される画面のサイズを判別してこの判別された画面のサイズに応じて映像信号の表示サイズを自動的に切り換える画面モード切り換え手段を有する場合に、所定の条件の下では画面モード切り換え手段での自動切り換え動作を禁止することにより、無用な画面モードの切り換えを防止して、画面の表示を常に良好に行うことができるものである。
【００３７】
【発明の効果】
この発明によれば、入力された映像信号中の画像の表示される画面のサイズを判別してこの判別された画面のサイズに応じて映像信号の表示サイズを自動的に切り換える画面モード切り換え手段を有する場合にも、所定の条件の下では画面モード切り換え手段での自動切り換え動作を禁止することができるようになった。
【００３８】
これによって、従来は無用なときに画面モードの切り換えが行われて画面の表示が極めて目障りなものになってしまう場合があったものを、本発明によれば無用な画面モードの切り換えを防止して、画面の表示を常に良好に行うことができるものである。
【図面の簡単な説明】
【図１】本発明の適用される受像機の一例の構成図である。
【図２】その動作の説明のための図である。
【図３】画面モードの説明のための図である。
【図４】従来の動作の説明のための図である。
【符号の説明】
１  地上波アンテナ
２  Ｕ／Ｖチューナ
３  選局用のマイクロコンピュータ（μ−ＣＯＭ）
４  衛星アンテナ
５  ＣＳ／ＢＳチューナ
６  選局用のマイクロコンピュータ（μ−ＣＯＭ）
７  ビデオ入力端子
８  スイッチング回路
９  Ｙ／Ｃ分離フィルタ
１０  映像処理回路
１１  文字放送のデコーダ
１２  表示ＩＣ
１３  ＨＤＴＶやいわゆるＭＵＳＥ方式等の映像信号の入力端子
１４  パーソナルコンピュータ等からのＲＧＢ信号の入力端子
１５  映像出力回路
１６  受像管（ＣＲＴ）
１７  偏向回路
１８  偏向系
１９  音声処理回路
２０  音声出力回路
２１  スピーカ
２２  主制御用のマイクロコンピュータ（μ−ＣＯＭ）
２３  バスライン
２４  キーボード
２５  遠隔操作の受信器
２６  画面モード判別回路
２７  表示用のマイクロコンピュータ（μ−ＣＯＭ）
【図１】
0003572741.tif 000002
【図２】
0003572741.tif 000003
【図３】
0003572741.tif 000004
【図４】
0003572741.tif 000005